(57)【要約】  ケージ（６０）で飼育されるトリに水を摂取させるための給水システムの構成を、ケージ列（７０）に沿って配された給水パイプ（３）と、給水パイプに複数が設けられている給水器（４）と、水供給源から送られる水を、水圧を低減させて給水パイプに流入させる減圧装置（２）と、給水パイプの下流端が封止された封止モード、及び、給水パイプの下流端が排出パイプ（６）と連通している排出モードの何れかに切り替える開閉弁（５）と、通気性を有し鶏舎（１０）の入気口（２１）を被覆しているパネル材（３５）、及びパネル材の上面に水を供給する供給パイプ（３６）を備え、水の気化熱により低温となったパネル材で入気口を通過する空気を冷却するクーリングパネル（３０）と、その下方に設けられてパネル材を流下した水を受ける貯水槽（４０）と、貯水槽の水を供給パイプに送るポンプ（Ｐ）とを具備する構成とし、排出パイプを流通する水を貯水槽へ導く。
2020084780.tif 000002
【特許請求の範囲】
【請求項１】
鶏舎の内部でケージに収容されて飼育されるトリに水を摂取させるための給水システムであって、
複数の前記ケージが水平方向に並設されたケージ列に沿って配された給水パイプと、
該給水パイプ一つ当たり複数が設けられており、弁体を押し上げることにより前記給水パイプ内の水を流出させる給水器と、
前記給水パイプの上流端に接続されており、水供給源から送られる水を、水圧を低減させて前記給水パイプに流入させる減圧装置と、
前記給水パイプの下流端に接続されており、前記給水パイプの下流端が封止された封止モード、及び、前記給水パイプの下流端が排出パイプと連通している排出モードの何れかに切り替える開閉弁と、
通気性を有し前記鶏舎の入気口を被覆しているパネル材、及び、該パネル材の上面に水を供給する供給パイプを備え、前記パネル材に浸透した水の気化熱により低温となった前記パネル材で前記入気口を通過する空気を冷却するクーリングパネルと、
該クーリングパネルの下方に設けられて前記パネル材を流下した水を受ける貯水槽と、
該貯水槽の水を前記供給パイプに送るポンプと、を具備し、
前記排出パイプは、前記給水パイプから排出された水を前記貯水槽へ導くものである
ことを特徴とする給水システム。
【請求項２】
前記貯水槽は、水位を一定に保つ定水位弁を備えており、
前記排出パイプは、その上流端から下流端に向かって高さが増加する部分を有しておらず、前記定水位弁によって一定に保たれる前記貯水槽の水位は、前記排出パイプの下流端の高さより低く設定されている
ことを特徴とする請求項１に記載の給水システム。
【発明の詳細な説明】
【技術分野】
【０００１】
本発明は、養鶏施設で飼育されるトリに水を摂取させるための給水システムに関するものである。
【背景技術】
【０００２】
多数のケージで多数羽のトリを飼育する大型の養鶏施設では、トリへの給水も省力化されている。一般的には、複数のケージが水平方向に並設されたケージ列に沿って給水パイプが配されており、上水道などの水供給源から水圧を低減させた水が給水パイプに供給される。給水パイプには複数の給水器が設けられており、給水パイプの下流端は封止されている。給水器は、本体に対して上下方向に出没する弁体によって流路が開閉するものである。トリが嘴で弁体を押し上げることにより、流路が開放されて水が流下し、トリが飲むことができる。そして、給水器を介して流出した水、すなわち、トリが飲んだ分の水が、水供給源から給水パイプに新たに供給される。【０００３】
上記のようなしくみでは、給水パイプ内に水が滞留しやすいため、夏季など気温の高いときに水が温まってしまうという問題がある。上記の給水器は、トリが自ら動作させなければ水が流出しない構造であるが、トリは気温が高い時期に温かい水を飲みたがらない傾向があるため、水の摂取量が減少する。水の摂取量が減少すると、トリの健康状態が悪化すると共に、水の消費量の減少に伴って水の滞留の程度が増し、水がより温まるという悪循環に陥ることとなる。【０００４】
そこで、給水パイプに供給される水をタンクを介して循環させ、水温が高くなるとタンク内の水をポンプで冷却装置に送り、冷却された水をタンクに戻す給水装置が提案されている（特許文献１参照）。この給水装置では、気温の高いときでも冷却された水が給水パイプに供給される利点があるが、タンク、冷却装置、タンクから冷却装置に送水するポンプ、タンクから給水パイプに送水するポンプなど、必要な構成が多く複雑な構造となるため、設置コストが嵩むと共にランニングコストも高くなるという問題がある。また、飲用水が循環式であるため、水の汚染を防ぐために高度な注意を払う必要がある。【０００５】
また、給水パイプを内管と外管との二重構造とし、外管に給水器を設けて外管と内管との間に飲用水を流通させる一方で、内管に冷却用の水を流し、内管の内部の水と外部の水とで熱交換させる給水装置が提案されている（特許文献２参照）。冷却用の水はタンクを介して循環させ、タンクの水は温度の検知に基づいて冷却装置に送られ、冷却された水がタンクに戻される。この給水装置は、特許文献１の装置と同様に、タンク、冷却装置、タンクから冷却装置に送水するポンプ、タンクから内管に送水するポンプなど、必要な構成が多く複雑な構造となるため、設置コストが嵩むと共にランニングコストも高くなるという問題がある。加えて、二重構造の特殊な給水パイプを使用する。そのため、コスト高となると共に、既存の養鶏施設では従来の給水パイプと交換するために大掛かりな工事が必要であり、導入しにくいものであった。【０００６】
この問題を解決することを意図して、冷却用パイプを給水パイプに沿わせて外付けで配設し、冷却用パイプと給水パイプとを断熱部材で被覆する給水装置が提案されている（特許文献３参照）。冷却用の水はタンクを介して循環させ、タンクの水は温度の検知に基づいて冷却装置に送られ、冷却された水がタンクに戻される点は特許文献２の装置と同様である。そのため、必要な構成が多く複雑な構造であることにより、コスト高となる点も同様である。特許文献２の装置とは異なり、既存の給水パイプをそのまま使用できる利点はあるが、給水パイプに沿わせて冷却用パイプを配設し、更に断熱部材で被覆する作業は煩雑である。大型の養鶏施設では、多数のケージが水平方向に並設されたケージ列が多段に積重されている上、多数列が並設されているため、給水管は相当数あり、それぞれの長さも長い。そのため全ての給水管に沿って冷却用パイプを配設し、両者を断熱部材で被覆する作業は、かなり大掛かりなものとならざるを得ない。
【先行技術文献】
【特許文献】
【０００７】
【特許文献１】特開２００５−２３７２４１号公報
【特許文献２】特開２００９−２９６９４３号公報
【特許文献３】特開２０１５−８０４１５号公報
【発明の概要】
【発明が解決しようとする課題】
【０００８】
そこで、本発明は、上記の実情に鑑み、ケージで飼育されるトリの飲用水を流通させる給水パイプ内での水の滞留に起因する水温の上昇を、簡易な構成で抑制することができる給水システムの提供を、課題とするものである。
【課題を解決するための手段】
【０００９】
上記の課題を解決するため、本発明にかかる給水システムは、
「鶏舎の内部でケージに収容されて飼育されるトリに水を摂取させるための給水システムであって、
複数の前記ケージが水平方向に並設されたケージ列に沿って配された給水パイプと、
該給水パイプ一つ当たり複数が設けられており、弁体を押し上げることにより前記給水パイプ内の水を流出させる給水器と、
前記給水パイプの上流端に接続されており、水供給源から送られる水を、水圧を低減させて前記給水パイプに流入させる減圧装置と、
前記給水パイプの下流端に接続されており、前記給水パイプの下流端が封止された封止モード、及び、前記給水パイプの下流端が排出パイプと連通している排出モードの何れかに切り替える開閉弁と、
通気性を有し前記鶏舎の入気口を被覆しているパネル材、及び、該パネル材の上面に水を供給する供給パイプを備え、前記パネル材に浸透した水の気化熱により低温となった前記パネル材で前記入気口を通過する空気を冷却するクーリングパネルと、
該クーリングパネルの下方に設けられて前記パネル材を流下した水を受ける貯水槽と、
該貯水槽の水を前記供給パイプに送るポンプと、を具備し、
前記排出パイプは、前記給水パイプから排出された水を前記貯水槽へ導く」ものである。【００１０】
本構成の給水システムは、大型の養鶏施設で換気の際に外部から取り込まれる空気を冷却するために使用されるクーリングパネルを、トリに給水するためのシステムに組み込んだ新規な構成である。【００１１】
給水パイプ内に水が滞留することにより温まってしまうときは、開閉弁を開くことにより、封止モードから排出モードに切り替える。これにより、給水パイプ内の水は排出パイプへ流出し、水供給源から給水パイプへ温まっていない新鮮な水が供給される。従って、夏季など気温が高い時期であっても、温まっていない水をトリに摂取させることができる。【００１２】
仮に、給水パイプから排出させた水を単に廃棄対象とすると、資源としてもコストの面からも無駄となる。これに対し、本構成では、排出された水をクーリングパネルの下方の貯水槽まで導き、パネル材に供給する水として循環使用される水に加えられる。従って、給水パイプから排出させた水を、無駄なく使用することができる。【００１３】
クーリングパネルは、大型の養鶏施設が備えていることが望ましい設備である。そして、給水パイプ内の水が温まるような気温の高い時期には、クーリングパネルを養鶏施設の換気に使用しており、貯水槽から供給パイプに水を送るポンプも動作させている。そのため、本構成の給水システムの導入のために、従来の施設に新たに付加すべき構成が少なく、システムを簡易な構成にとどめたまま、給水パイプ内での水の滞留に起因する水温の上昇を抑制することができる。【００１４】
加えて、排出モードの際も、給水パイプに送られる水は減圧装置を経て水圧を低減させている。そのため、排出モードであっても給水パイプ内の水圧が高まる訳ではなく、給水器を介したトリの飲水に支障をきたすことがない。また、減圧装置を経て水圧を低減させた水が排出パイプを介して貯水槽に送られるため、単位時間当たりの送水量を押さえることができ、貯水槽に水が大量に送られ続ける事態を回避することができる。【００１５】
本発明にかかる給水システムは、上記構成に加え、
「前記貯水槽は、水位を一定に保つ定水位弁を備えており、
前記排出パイプは、その上流端から下流端に向かって高さが増加する部分を有しておらず、前記定水位弁によって一定に保たれる前記貯水槽の水位は、前記排出パイプの下流端の高さより低く設定されている」ものとすることができる。【００１６】
本構成では、給水パイプから排出された水を貯水槽まで送るためのポンプなどの動力を要することなく、減圧装置を経て低減された水圧と重力の作用のみによって、簡易に貯水槽まで水を送ることができる。
【発明の効果】
【００１７】
以上のように、本発明によれば、ケージで飼育されるトリの飲用水を流通させる給水パイプ内での水の滞留に起因する水温の上昇を、簡易な構成で抑制することができる給水システムを、提供することができる。
【図面の簡単な説明】
【００１８】
【図１】図１は本発明の一実施形態の給水システムを備える鶏舎の概略構成図である。
【図２】図２は図１におけるＡ−Ａ範囲の拡大図である。
【図３】図３は図１におけるＢ−Ｂ範囲の拡大図である。
【図４】図４（ａ）は図１におけるＣ−Ｃ範囲の拡大図であり、図４（ｂ）はクーリングパネルの縦断面図である。
【図５】図５は図４（ａ），（ｂ）のクーリングパネルの斜視図である。
【図６】図６は図１の給水システムと異なる減圧装置を使用している場合のＡ−Ａ範囲に相当する範囲の拡大図である。
【発明を実施するための形態】
【００１９】
以下、本発明の具体的な実施形態について、図面を用いて説明する。まず、本実施形態の給水システムを備える鶏舎１０の構成について説明する。鶏舎１０は四つの壁に囲まれた直方体形状の建物であり、四つの壁のうち対向する一対の壁１１，１２間の長さが５０メートルから２００メートルで、他の一対の壁１３間の長さがそれより短く５メートルから４０メートルの細長い形状である。
【００２０】
鶏舎１０の内部空間には、複数のケージ６０が水平な一方向に連設されたケージ列７０が多数収容されている。ケージ列７０は多段に積重されていると共に、ケージ列７０が延びる方向に直交する方向に多数列が並設されている。ケージ列７０が延びる方向は、壁１１と壁１２とを結ぶ鶏舎１０の長手方向である。
【００２１】
対向する一対の壁１１，１２には、それぞれ入気口２１と排気口２２が設けられている。入気口２１及び排気口２２は、それぞれ壁１１，１２全体の面積の１／２以上の大きな面積で設けられている。ケージ列７０と平行な他の一対の壁１３それぞれの上部には、側壁入気口（図示を省略）が設けられている。
【００２２】
排気口２２には、大型の排気ファン２２ｆが縦横に複数取り付けられている。排気ファン２２ｆを動作させて排気口２２から空気を強制的に排出することにより、鶏舎１０の内部空間を陰圧にして、入気口２１及び側壁入気口の少なくとも一方を介して外部から空気を取り込むことにより、鶏舎１０内の換気を行うことができる。
【００２３】
より具体的には、冬季など外気温が低いときは、入気口２１を閉塞し、側壁入気口から外気を取り込む第一モードで換気が行われる。側壁入気口には、その開閉及び開度を調整する装置（図示を省略）が設けられており、外気温に応じて側壁入気口の部分的な開閉や開度が調整される。
【００２４】
一方、夏季など外気温の高いときは、入気口２１から空気を取り込む第二モードで換気が行われる。第二モードでは、対向する壁１１，１２間でストレートに空気を流通させるため、空気の流通が高速であり、鶏舎１０内の温度より低温の外気で内部空間を冷却しつつ、換気を行うことができる。また、入気口２１及び側壁入気口の双方を介して空気を取り込む第三モードで、換気を行うこともできる。
【００２５】
入気口２１は、クーリングパネル３０のパネル材３５で被覆されており、入気口２１を介して鶏舎１０内に流入する空気がパネル材３５によって冷却される。具体的に説明すると、クーリングパネル３０は、図５及び図４（ｂ）に示すように、一対の側部枠３１、一対の側部枠３１の上端を連結する上部枠３２、及び、一対の側部枠３１の下端を連結する下部枠３３によって、複数のパネル材３５が保持されたものである。上部枠３２は、入気口２１より上方で壁１１に固定されており、下部枠３３は入気口２１より下方で壁１１に固定されている。
【００２６】
上部枠３２は、パネル材３５の上面に水を供給する供給パイプ３６を保持しており、供給パイプ３６は側部枠３１に貫設された孔部３１ｈを介して、上部枠３２とパネル材３５との間の空間に挿入されている。供給パイプ３６において、上部枠３２の内部に位置する部分の周面には、多数の小孔部（図示を省略）が貫設されている。
【００２７】
下部枠３３は、その底面３３ｂより上方に網状の支持部材３３ｃを備えており、ここにパネル材３５を載置している。従って、パネル材３５の下端と下部枠３３の底面３３ｂとの間には、樋状の空間Ｓが形成されている。下部枠３３の底面３３ｂには孔部３３ｈが貫設されており、ここに接続されたパイプ５１が下方に向かって延びている。
【００２８】
パネル材３５は、吸水性・保水性に富むと共に、湿潤に対して耐性を有する紙材料によって形成されている。このような紙材料を、小さな波形が反復する形状に成形し、波形をずらしつつ多数積層することにより、表面積を増大させると共に、通気性を持たせている。
【００２９】
上記構成のクーリングパネル３０では、供給パイプ３６に水を送ると、供給パイプ３６の周面の小孔部から流出した水がパネル材３５の上面に滴下され、水の浸透によりパネル材３５が湿潤する。この水分が蒸発する際、気化熱が奪われてパネル材３５が低温となる。これにより、入気口２１を介して鶏舎１０内に流入する空気が、パネル材３５を通過する際に冷却される。
【００３０】
気化することなくパネル材３５を流下した水は、網状の支持部材３３ｃを通過し、樋状の空間Ｓで集められ、パイプ５１を介して外部に排出される。パイプ５１の下方には貯水槽４０が設けられており、パイプ５１を流下した水がここに貯められる。貯められた水は、ポンプＰの作動によりパイプ５２を介して供給パイプ３６に送られ、再びパネル材３５の上面に滴下される。パネル材３５を流下した水は、樋状の空間Ｓで集められ、以降は同様に循環する。
【００３１】
貯水槽４０には、気化して拡散した分の水を補充するため、パイプ５３を介して外部から水が供給される。ここでは、貯水槽４０の水位に応じた浮き玉４２の変位により、弁４１が開閉して水位を一定に保つ場合を例示している。本実施形態における浮き玉４２を有する弁４１が、本発明の「定水位弁」に相当する。
【００３２】
次に、本実施形態の給水システムについて説明する。給水システムは、上記のように鶏舎１０の換気に当たり使用されるクーリングパネル３０を、トリに給水するためのシステムに組み込んだものである。給水システムは、給水器４を備える給水パイプ３と、上流パイプ１と、排出パイプ６とからなるパイプ構造を備えている。このパイプ構造は、上流パイプ１と給水パイプ３との間に設けられた減圧装置２と、給水パイプ３と排出パイプ６との間に設けられた開閉弁５とを、更に備えている。
【００３３】
また、給水システムは、鶏舎１０の入気口２１を被覆するパネル材３５を有するクーリングパネル３０と、パネル材３５に水を供給する供給パイプ３６と、クーリングパネル３０の下方に設けられた貯水槽４０と、貯水槽４０の水を供給パイプ３６に送るポンプＰと、を備えている。
【００３４】
より具体的に説明すると、給水パイプ３は、各ケージ列７０に沿って長手方向に配されている。各給水パイプ３には、ケージ６０一つ当たりの数が同じになるように複数の給水器４が設けられている。各給水器４は、上下動により本体４ａに対して出没する弁体４ｂを備えており、トリが嘴で弁体４ｂを押し上げると、流路が開放されて水が流下する。
【００３５】
なお、給水パイプ３の下方には、給水パイプ３と平行に、上方に開放した受け樋９が配されている。受け樋９は、トリが給水器４を操作して飲水する際に、こぼしたり飛散させたりした水を受けるものであり、トリの居住スペースや除糞ベルト（図示を省略）が濡れることを防止するためのものである。
【００３６】
上流パイプ１は、上水道などの水供給源から給水パイプ３へ水を送るパイプである。上流パイプ１は、給水パイプ３と同数に分岐した後、給水パイプ３の上流端に減圧装置としての減圧弁２を介して接続されている。減圧弁２は、水供給源から送られる水の圧力を低減させて、給水パイプ３に流入させる。これにより、トリが給水器４を操作したときに、水が勢いよく噴出してトリの飲水に支障をきたすことが防止される。
【００３７】
減圧弁２には、給水パイプ３に流入させる水の圧力を確認するための水圧指示器７が取り付けられている。ここでは、水圧指示器７として、上方に向かって立設させた透明なパイプ７ｐと、パイプ７ｐ内に収容されたフロート７ｆとを備えており、給水パイプ３内の水圧をフロート７ｆの高さで確認できる簡易な構成のものを例示している。また、給水パイプ３の下流端の近傍にも、同様の構成の水圧指示器７が取り付けられている。
【００３８】
各給水パイプ３の下流端は、それぞれ開閉弁５を介して排出パイプ６に接続されている。本実施形態では、複数段に積重されたケージ列７０それぞれに沿って配された給水パイプ３の複数が、一つの排出パイプ６に接続されている場合を例示している。排出パイプ６は、最上段の給水パイプ３の下流端から、一段下の給水パイプ３の下流端を順に接続しつつ下降し、その後は鶏舎１０の床面近くを単一の高さで延び、壁１１を貫通して貯水槽４０の上方に至っている。すなわち、排出パイプ６は、その上流端から下流端に向かって、高さが増加する部分を有していない。そして、浮き玉４２を有する弁４１によって一定に保たれている貯水槽４０の水位は、排出パイプ６の下流端の高さより低く設定されている。
【００３９】
上記構成の給水システムにおいて、開閉弁５を閉じて給水パイプ３の下流端を封止した封止モードでは、トリの操作により給水器４から流出した分の水が、上流パイプ１から減圧弁２を経て給水パイプ３に供給される。気温が高くない時期など、給水パイプ３内に水が滞留しても温まりにくい場合は、この封止モードでトリへの給水を行う。
【００４０】
給水パイプ３には、水圧指示器７が取り付けられているため、給水パイプ３内の水圧が、トリの飲水に適した水圧となっているか否かを確認することができる。また、水圧指示器７は、給水パイプ３において上流端近くと下流端近くの二カ所に取り付けられているため、給水パイプ３の途中でパイプ詰まりや漏水が生じたとしても、速やかに察知することができる。
【００４１】
給水パイプ３内に水が滞留することにより温まってしまうときは、開閉弁５を開いて排出モードとする。間歇的に封止モードから排出モードに切り替えても良いし、連続的に排出モードとしてもよい。排出モードでは、給水パイプ３から排出パイプ６へ水が流出し、水供給源から温まっていない新鮮な水が給水パイプ３に供給される。従って、夏季など気温が高い時期であっても、温まっていない水をトリに摂取させることができる。
【００４２】
仮に、給水パイプ３から排出された水を廃棄対象とすると、資源としてもコストの面からも無駄となる。これに対し、本実施形態では、給水パイプ３から排出パイプ６へ流出させた水は、排出パイプ６を下流端まで流通し、クーリングパネル３０の下方の貯水槽４０に導かれる。貯水槽４０の水は、パネル材３５に供給される水として循環して使用されるものであるため、給水パイプ３から排出させた水も無駄なく使用することができる。
【００４３】
クーリングパネル３０は、大型の養鶏施設が備えていることが望ましい設備である。しかも、給水パイプ３内の水が温まってしまうような気温の高い時期には、クーリングパネル３０は鶏舎１０の換気に使用されており、貯水槽４０から供給パイプ３６に水を送るポンプＰも動作させている。そのため、本実施形態の給水システムの導入のために、新たに付加する必要がある構成は、開閉弁５と排出パイプ６程度であり、既存の設備を有効に活用しつつシステムを簡易な構成にとどめたまま、給水パイプ３内での水の滞留に起因する水温の上昇を抑制することができる。
【００４４】
加えて、排出モードの際も、給水パイプ３に送られる水は、減圧弁２を経て水圧を低減させたものであり、給水パイプ３内の水圧が高まる訳ではない。そのため、排出モードであっても、給水パイプ３内を流通する水を、トリが給水器４を介して支障なく摂取することができる。また、減圧弁２を経て水圧を低減させた水が排出パイプ６を介して貯水槽４０に送られるため、単位時間当たりの送水量を押さえることができ、貯水槽４０に水が大量に送られ続ける事態を回避することができ、貯水槽４０から供給パイプ３６に送られる水量とのバランスを取りやすい。
【００４５】
更に、排出パイプ６は、その上流端から下流端まで高さが増加する部分を有しておらず、一定に保持されている貯水槽４０の水位は、排出パイプ６の下流端の高さより低く設定されている。従って、給水パイプ３から排出された水を貯水槽４０まで送るためのポンプなどの動力を要することなく、減圧弁２を経て低減された水圧と重力の作用のみによって、簡易に貯水槽４０まで水を送ることができる。
【００４６】
以上、本発明について好適な実施形態を挙げて説明したが、本発明は上記の実施形態に限定されるものではなく、本発明の要旨を逸脱しない範囲において、種々の改良及び設計の変更が可能である。
【００４７】
例えば、封止モードと排出モードとを切り替える開閉弁５は、手動で開閉されるものであっても、給水パイプ３内の水温や気温の検知に基づき制御装置によって開閉されるものであってもよい。
【００４８】
また、水圧指示器７は、給水パイプ３内の水圧を知ることができるものであれば、上記の構成に限定されない。更に、定水位弁は、貯水槽４０における水位を一定に保つことができるものであれば、上記の構成に限定されない。
【００４９】
更に、上記では、減圧装置として減圧弁２を例示したが、水供給源から送られる水を、水圧を低減させて給水パイプ３に流入させることができるものであれば、減圧弁２に限定されない。例えば、図６に示すように、減圧装置としてシスターン８０を使用することができる。シスターン８０は大気に解放された容器であり、給水パイプ３と同数に分岐した上流管１それぞれの下流端に接続されている。分岐した上流管１の下流端は、それぞれシスターン８０の周壁の上部を貫通して内部に延び、給水口８１となっている。給水口８１には弁８５が設けられており、水位に応じた浮き玉８６の変位による弁８５の開閉により、水位が一定に保持されている。シスターン８０の下部には流出パイプ８８が接続されている。流出パイプ８８は給水パイプ３より高い位置にあり、垂直方向の連結パイプ８９によって給水パイプ３の上流端と接続されている。
【００５０】
このような構成により、上流管１を介して水供給源から送られる水は、いったんシスターン８０に溜められて水供給源と切り離される。トリの飲水のために給水器４から水が流出すると、その分の水がシスターン８０から給水パイプ３に供給されるが、供給される水にはシスターン８０の水位と給水パイプ３の高さの差に相当する水圧がかかる。従って、水供給源から送られる水の圧力より低減された圧力の水を、給水パイプ３に流入させることができる。なお、給水パイプ３に流入する水の圧力は、弁８５及びによって一定に保持されるシスターン８０内部の水位と給水パイプ３の高さとの差によって所望の値とすることができため、給水パイプ３の上流端近傍には上記の水圧指示器７を設けなくてもよい。夏季など気温が高く給水パイプ３内の水が温まってしまうときは、開閉弁５を開いて排出モードとすることにより、シスターン８０に収容されていた水も排出され、水供給源から新鮮な水が補給される。
【図１】
2020084780.tif 000003
【図２】
2020084780.tif 000004
【図３】
2020084780.tif 000005
【図４】
2020084780.tif 000006
【図５】
2020084780.tif 000007
【図６】
2020084780.tif 000008
【国際調査報告】
2020084780.tif 000009
2020084780.tif 000010
2020084780.tif 000011
2020084780.tif 000012